(57)【特許請求の範囲】
【請求項１】
予め設定された複数種類の通信方式の内の何れかの一通信方式を用いて、非接触応答装置が外部の質問装置と通信を行うに際して、その一通信方式を選択する方法であって、
前記質問装置からのリクエスト信号を受信すると、前記複数種類の通信方式の全てに対応した復調及び復号を行って変換したリクエストコマンドから当該受信したリクエスト信号の通信方式の種類を判定する、以上の処理を繰り返すと共に、
当該繰り返すことにより最適な通信方式の選択できる条件を満たしたことを契機として、前記判定した通信方式の種類を元に、最適な通信方式を選択することにより、当該一連の繰り返しから抜け、その後、当該選択した最適な通信方式によるリクエスト信号を受信すると、当該選択した最適な通信方式よる、当該受信したリクエスト信号に対する応答信号を発する、
ことを特徴とする最適通信方式選択方法。
【請求項２】
前記最適な通信方式の選択は、
前記判定した通信方式の種類のみならず、前記非接触応答装置に予め設定された前記複数種類の通信方式の何れを優先的に選択するかを定めた優先度テーブルをも用いてなされる、
ことを特徴とする請求項１に記載の最適通信方式選択方法。
【請求項３】
前記最適な通信方式の選択は、
前記判定した通信方式の種類のみならず、当該判定した回数をも用いてなされる、
ことを特徴とする請求項１に記載の最適通信方式選択方法。
【請求項４】
前記最適な通信方式の選択は、
前記判定した通信方式のみならず、当該判定した回数の他に、前記非接触応答装置に予め設置された前記複数種類の通信方式の何れを優先的に選択するかを定めた優先度テーブルをも用いてなされる、
ことを特徴とする請求項１に記載の最適通信方式選択方法。
【請求項５】
前記条件は、
前記繰り返した回数、最初にリクエスト信号を受信したときからの経過時間、前記非接触応答装置内に設定された複数種類の通信方式の何れか若しくは全部について前記判定した回数の内の一以上について、予め当該非接触応答装置に設定された設定条件である、
ことを特徴とする請求項１、２、３又は４に記載の最適通信方式選択方法。
【請求項６】
前記方法は、
前記非接触応答装置から発せられた最適な通信方式よる応答信号を前記質問装置が受信すると、それ以降、当該非接触応答装置に対するリクエスト信号は、当該受信した応答信号の通信方式により送出される、
ことを特徴とする請求項１、２、３、４又は５に記載の最適通信方式選択方法。
【請求項７】
前記非接触応答装置は、
ＡＰ（ａｐｐｌｉｃａｔｉｏｎ）を搭載したＩＣカードである、
ことを特徴とする請求項１、２、３、４、５又は６に記載の最適通信方式選択方法。
【請求項８】
前記質問装置は、
ＲＷ（ｒｅａｄｅｒ−ｗｒｉｔｅｒ）である、
ことを特徴とする請求項１、２、３、４、５、６又は７に記載の最適通信方式選択方法。
【請求項９】
予め設定された複数種類の通信方式の何れかを用いて質問装置と通信を行う非接触応答装置であって、
前記質問装置からのリクエストコマンドを受信し応答信号を送信するアンテナと、
ＡＰ（ａｐｐｌｉｃａｔｉｏｎ）及び前記質問装置との最適な通信方式を選択する手順である選択手順に係るデータを記憶した不揮発性メモリと、
前記質問装置から送出された複数種類のリクエスト信号を復調、復号してリクエストコマンドを出力する受信回路と、
当該受信回路から出力されたリクエストコマンドに基き前記不揮発性メモリ内の前記データを用いて演算を行って最適な通信方式を選択すると共に、当該選択を行った後に当該選択した最適な通信方式によるリクエスト信号を受信した場合にそのリクエストコマンドに対する応答コマンドを送信回路に出力する演算回路と、
当該演算回路から出力された応答コマンドを前記演算回路により選択した通信方式により特定された符号化及び変調を行い当該応答コマンドを応答信号として前記アンテナを介して前記質問装置に送出する送信回路とを、
具備した、
ことを特徴とする最適通信方式選択非接触応答装置。
【請求項１０】
前記選択手順に係るデータは、
前記受信回路からのリクエストコマンドの入力を前記演算回路が受けると、その入力からリクエスト信号の通信方式の種類を判定して、前記最適な通信方式を選択できる条件を満たしたかを確認するという、一連の繰り返しを行うと共に、当該確認により当該条件を満たしたことを契機に、当該繰り返しから抜け、当該判定した通信方式の種類を元に、前記最適な通信方式を選択する、
以上の処理を行うプログラムデータである、
ことを特徴とする請求項９に記載の最適通信方式選択非接触応答装置。
【請求項１１】
前記最適な通信方式の選択は、
前記判定した通信方式の種類のみならず、当該判定した回数をも用いてなされる、
ことを特徴とする請求項１０に記載の最適通信方式選択非接触応答装置。
【請求項１２】
前記条件は、
前記繰り返しの回数、最初にリクエスト信号を受信したときからの経過時間、前記複数種類の通信方式の何れか若しくは全部について前記判定した回数の内の一以上について、予め設定された設定条件である、
ことを特徴とする請求項１０又は１１に記載の最適通信方式選択非接触応答装置。
【請求項１３】
前記不揮発性メモリは、
前記ＡＰ及び選択手順に係るデータのみならず、前記最適な通信方式の選択に供される、複数種類の通信方式の何れかを優先的に選択するかを定めた優先度テーブルを記憶しており、
前記最適な通信方式の選択は、
前記優先度テーブルをも用いてなされる、
ことを特徴とする請求項９、１０、１１又は１２に記載の最適通信方式選択非接触応答装置。
【請求項１４】
前記非接触応答装置は、
ＩＣカードである、
ことを特徴とする請求項９、１０、１１、１２又は１３に記載の最適通信方式選択非接触応答装置。
【請求項１５】
前記質問装置は、
ＲＷ（ｒｅａｄｅｒ−ｗｒｉｔｅｒ）である、
ことを特徴とする請求項９、１０、１１、１２、１３又は１４に記載の最適通信方式選択非接触応答装置。
【発明の詳細な説明】
【０００１】
【発明の属する技術分野】
本発明は、非接触応答手段が自己に搭載してある選択手順により最適な通信方式の選択に供される、最適通信方式選択方法及び非接触応答装置に関する。
【０００２】
【従来の技術】
今日、複数の通信方式に対応した非接触応答装置が研究開発されており、これは、最初に受信したリクエストの通信方式で通信を行ったり、受信可能なリクエストの通信方式を時間的に切り替えその際受信したリクエストの通信方式で通信を行ったりするものである。
【０００３】
【発明が解決しようとする課題】
ところが、かような非接触応答装置においては、搭載したＡＰにより最適な通信方式が存在するにも拘わらず、非接触応答装置がイニシアチブをもって通信方式を選択できないことになり、最適ではない通信方式又は使用不可能な通信方式で通信を開始してしまい、搭載したＡＰを動作できない場合、更には最適な又は最低限使用できる通信方式に切り替えるという処理動作も必要となる場合をも生じる。
【０００４】
ここにおいて、本発明の解決すべき主要な目的は以下の通りである。
【０００５】
本発明の第１の目的は、非接触応答手段において最適な通信方式を選択できる、最適通信方式選択方法及び非接触応答装置を提供することにある。
【０００６】
本発明の第２の目的は、通信方式の選択を非接触応答手段がイニシアチブをもって行える、最適通信方式選択方法及び非接触応答装置を提供することにある。
【０００７】
本発明の第３の目的は、非接触応答装置に搭載されているＡＰにとって最適な通信方式を選択できる、最適通信方式選択方法及び非接触応答装置を提供することにある。
【０００８】
本発明の他の目的は、明細書、図面、特に特許請求の範囲における各請求項の記載から自ずと明らかとなろう。
【０００９】
【課題を解決するための手段】
本発明方法は、上記課題の解決に当たり、予め設定された複数種類の通信方式の内の何れかの一通信方式を用いて、外部の質問装置と通信を行うに際して、その一通信方式を選択する方法であって、当該質問装置からのリクエスト信号を受信すると、当該複数種類の通信方式の全てに対応した復調及び復号を行って変換したリクエストコマンドから当該受信したリクエスト信号の通信方式の種類を判定する以上の処理を繰り返すと共に、当該繰り返すことにより最適な通信方式の選択できる条件を充たしたことを契機として、当該判定した通信方式の種類を元に、最適な通信方式を選択するにより、当該繰り返しから抜け、その後、当該選択した最適な通信方式によるリクエスト信号を受信すると、当該選択した最適な通信方式よる、当該受信したリクエスト信号に対する応答信号を発する、という特徴的構成手法を講じる。
【００１０】
本発明装置は、上記課題の解決に当たり、質問装置からのリクエストコマンドを受信し応答信号を送信するアンテナと、ＡＰ及び当該質問装置との最適な通信方式を選択する手順である選択手順に係るデータを記憶した不揮発性メモリと、当該質問装置から送出された複数種類のリクエスト信号を復調、復号してリクエストコマンドを出力する受信回路と、当該受信回路から出力されたリクエストコマンドに基き当該不揮発性メモリ内の当該データを用いて演算を行って最適な通信方式を選択すると共に、当該選択を行った後に当該選択した最適な通信方式によるリクエスト信号を受信した場合にそのリクエストコマンドに対する応答コマンドを送信回路に出力する演算回路と、当該演算回路から出力された応答コマンドを当該演算回路により選択した通信方式により特定された符号化及び変調を行い当該応答コマンドを応答信号として当該アンテナを介して当該質問装置に送出する送信回路とを具備する、という特徴的構成手段を講じる。
【００１１】
更に、具体的詳細に述べると、当該課題の解決では、本発明が次に列挙する新規な特徴的構成手法又は手段を採用することにより、上記目的を達成するようになされる。
【００１２】
本発明方法の第１の特徴は、予め設定された複数種類の通信方式の内の何れかの一通信方式を用いて、非接触応答装置が外部の質問装置と通信を行うに際して、その一通信方式を選択する方法であって、前記質問装置からのリクエスト信号を受信すると、前記複数種類の通信方式の全てに対応した復調及び復号を行って変換したリクエストコマンドから当該受信したリクエスト信号の通信方式の種類を判定する、以上の処理を繰り返すと共に、当該繰り返すことにより最適な通信方式の選択できる条件を満たしたことを契機として、前記判定した通信方式の種類を元に、最適な通信方式を選択することにより、当該一連の繰り返しから抜け、その後、当該選択した最適な通信方式によるリクエスト信号を受信すると、当該選択した最適な通信方式よる、当該受信したリクエスト信号に対する応答信号を発してなる、最適通信方式選択方法の構成採用にある。
【００１３】
本発明方法の第２の特徴は、上記本発明方法の第１の特徴における前記最適な通信方式の選択が、前記判定した通信方式の種類のみならず、前記非接触応答装置に予め設定された前記複数種類の通信方式の何れを優先的に選択するかを定めた優先度テーブルをも用いてなされてなる、最適通信方式選択方法の構成採用にある。
【００１４】
本発明方法の第３の特徴は、上記本発明方法の第１の特徴における前記最適な通信方式の選択が、前記判定した通信方式の種類のみならず、当該判定した回数をも用いてなされてなる、最適通信方式選択方法の構成採用にある。
【００１５】
本発明方法の第４の特徴は、上記本発明方法の第１の特徴における前記最適な通信方式の選択が、前記判定した通信方式のみならず、当該判定した回数の他に、前記非接触応答装置に予め設置された前記複数種類の通信方式の何れを優先的に選択するかを定めた優先度テーブルをも用いてなされてなる、最適通信方式選択方法の構成採用にある。
【００１６】
本発明方法の第５の特徴は、上記本発明方法の第１、第２、第３又は第４の特徴における前記条件が、前記繰り返した回数、最初にリクエスト信号を受信したときからの経過時間、前記非接触応答装置内に設定された複数種類の通信方式の何れか若しくは全部について前記判定した回数の内の一以上について、予め当該非接触応答装置に設定された設定条件である、最適通信方式選択方法の構成採用にある。
【００１７】
本発明方法の第６の特徴は、上記本発明方法の第１、第２、第３、第４又は第５の特徴における前記方法が、前記非接触応答装置から発せられた最適な通信方式よる応答信号を前記質問装置が受信すると、それ以降、当該非接触応答装置に対するリクエスト信号は、当該受信した応答信号の通信方式により送出されてなる、最適通信方式選択方法の構成採用にある。
【００１８】
本発明方法の第７の特徴は、上記本発明方法の第１、第２、第３、第４、第５又は第６の特徴における前記非接触応答装置が、ＡＰ（ａｐｐｌｉｃａｔｉｏｎ）を搭載したＩＣカードである、最適通信方式選択方法の構成採用にある。
【００１９】
本発明方法の第８の特徴は、上記本発明方法の第１、第２、第３、第４、第５、第６又は第７の特徴における前記質問装置が、ＲＷ（ｒｅａｄｅｒ−ｗｒｉｔｅｒ）である、最適通信方式選択方法の構成採用にある。
【００２０】
一方、本発明装置の第１の特徴は、予め設定された複数種類の通信方式の何れかを用いて質問装置と通信を行う非接触応答装置であって、前記質問装置からのリクエストコマンドを受信し応答信号を送信するアンテナと、ＡＰ（ａｐｐｌｉｃａｔｉｏｎ）及び前記質問装置との最適な通信方式を選択する手順である選択手順に係るデータを記憶した不揮発性メモリと、前記質問装置から送出された複数種類のリクエスト信号を復調、復号してリクエストコマンドを出力する受信回路と、当該受信回路から出力されたリクエストコマンドに基き前記不揮発性メモリ内の前記データを用いて演算を行って最適な通信方式を選択すると共に、当該選択を行った後に当該選択した最適な通信方式によるリクエスト信号を受信した場合にそのリクエストコマンドに対する応答コマンドを送信回路に出力する演算回路と、当該演算回路から出力された応答コマンドを前記演算回路により選択した通信方式により特定された符号化及び変調を行い当該応答コマンドを応答信号として前記アンテナを介して前記質問装置に送出する送信回路とを、具備してなる、最適通信方式選択非接触応答装置の構成採用にある。
【００２１】
本発明装置の第２の特徴は、上記本発明装置の第１の特徴における前記選択手順に係るデータが、前記受信回路からのリクエストコマンドの入力を前記演算回路が受けると、その入力からリクエスト信号の通信方式の種類を判定して、前記最適な通信方式を選択できる条件を満たしたかを確認するという、一連の繰り返しを行うと共に、当該確認により当該条件を満たしたことを契機に、当該繰り返しから抜け、当該判定した通信方式の種類を元に、前記最適な通信方式を選択する、以上の処理を行うプログラムデータである、最適通信方式選択非接触応答装置の構成採用にある。
【００２２】
本発明装置の第３の特徴は、上記本発明装置の第２の特徴における前記最適な通信方式の選択が、前記判定した通信方式の種類のみならず、当該判定した回数をも用いてなされてなる、最適通信方式選択非接触応答装置の構成採用にある。
【００２３】
本発明装置の第４の特徴は、上記本発明装置の第２又は第３の特徴における前記条件が、前記繰り返しの回数、最初にリクエスト信号を受信したときからの経過時間、前記複数種類の通信方式の何れか若しくは全部について前記判定した回数の内の一以上について、予め設定された設定条件である、最適通信方式選択非接触応答装置の構成採用にある。
【００２４】
本発明装置の第５の特徴は、上記本発明装置の第１、第２、第３又は第４の特徴における前記不揮発性メモリが、前記ＡＰ及び選択手順に係るデータのみならず、前記最適な通信方式の選択に供される、複数種類の通信方式の何れかを優先的に選択するかを定めた優先度テーブルを記憶しており、前記最適な通信方式の選択が、前記優先度テーブルをも用いてなされてなる、最適通信方式選択非接触応答装置の構成採用にある。
【００２５】
本発明装置の第６の特徴は、上記本発明装置の第１、第２、第３、第４又は第５の特徴における前記非接触応答装置が、ＩＣカードである、最適通信方式選択非接触応答装置の構成採用にある。
【００２６】
本発明装置の第７の特徴は、上記本発明装置の第１、第２、第３、第４、第５又は第６の特徴における前記質問装置が、ＲＷ（ｒｅａｄｅｒ−ｗｒｉｔｅｒ）である、最適通信方式選択非接触応答装置の構成採用にある。
【００２７】
【発明の実施の形態】
以下、図面を参照して発明の実施の形態を装置例及び方法例につき説明する。
【００２８】
（装置例）
図１は、本発明の一実施形態である、最適通信方式選択非接触応答装置の内部構成図である。
最適通信方式選択非接触応答装置（以下、「応答装置」とする。）αは、予め設定された複数種類の通信方式を用いて質問装置であるＲＷと通信を行う手段であって、以下の構成要素を具備する。
【００２９】
即ち、応答装置αは、構成要素として、ＡＰ（ａｐｐｌｉｃａｔｉｏｎ）、優先度テーブル（何れの通信方式を優先するか判断基準となる値を優先度とし、それを記憶したテーブルを優先度テーブルとする。）及び選択手順（最適な通信方式を選択する選択手順。尚、実際にはプログラム化される。）に係るデータ（ＡＰと選択プログラムは必須データとなる。詳細は方法例にて後述。）を記憶する不揮発性メモリ１と、質問装置であるＲＷとの送受信を行うアンテナ２と、アンテナ２で受信した質問装置であるＲＷから送出される複数種類のリクエスト信号を予め設定された複数種類の通信方式に対応した復調回路３１、復号回路３２により復調、復号してリクエストコマンドを出力する受信回路３と、リクエストコマンドに基き不揮発性メモリ１内のデータを用いて演算を行って応答コマンドの通信方式を選択すると共に質問装置であるＲＷに送信コマンドを出力する演算回路４と、演算回路４から出力された応答コマンドを演算回路４により選択した通信方式により特定される符号化回路５１及び変調回路５２により符号化及び変調して応答信号をアンテナ２を介して質問装置であるＲＷに送出する送信回路５とを有する。
【００３０】
尚、演算回路４における通信方式の選択については方法例で詳説する。
また、受信回路３、送信回路５は、それぞれ、復調回路３１及び復号回路３２、符号化回路５１及び変調回路５２の各対で構成される。
【００３１】
そして、複数種類の通信方式（Ａ方式、Ｂ方式、〜、Ｎ方式）に対応すべく、それぞれ、復調回路（Ａ方式）３１ａ、復調回路（Ｂ方式）３１ｂ、〜、復調回路（Ｎ方式）３１ｎ、復号回路（Ａ方式）３２ａ、復号回路（Ｂ方式）３２ｂ、〜、復号回路（Ｎ方式）３２ｎ、符号化回路（Ａ方式）５１ａ、符号化回路（Ｂ方式）５１ｂ、〜、符号化回路（Ｎ方式）５１ｎ、変調回路（Ａ方式）５２ａ、変調回路（Ｂ方式）５２ｂ、〜、変調回路（Ｎ方式）５２ｎにより構成される。
【００３２】
（方法例）
本方法例は、上記装置例に適応したものである。以下、先ず、上記装置例での説明を前提として、図１を参照しつつ、本発明の実施の形態である、最適通信方式選択方法を説明する。
【００３３】
最適通信方式選択方法は、主として、図１の演算回路４において、リクエストコマンドから判定したリクエスト信号の通信方式（場合にはその受信回数も）と、不揮発性メモリ１に予め設定されている選択手順に基き、質問装置であるＲＷとの通信を行うのに使用する最適な通信方式を一つ選択し、その後当該選択した通信方式によりリクエスト信号を受けるとそれに対する応答コマンドを送信回路５に送出する。
【００３４】
なお選択した最適な通信方式による応答信号を受けた質問装置はその最適な通信方式により、応答装置にリクエスト信号などの信号を送ることになる（即ち、通信が開始されるわけである。）。
【００３５】
そして、不揮発性メモリ１に予め設定されている選択手順には、幾つかが考えられるところ、代表的なものとしては次のようなものが挙げられる。
【００３６】
その１として、応答装置αが最初にリクエスト信号を受信した後のｘ回目のリクエスト信号から（尚、ｘ＝０、即ち、最初にリクエスト信号を受信してから、とすることが好ましい）、予め設定してある所定の回数（ｙ−ｘ＋１［回］）だけリクエスト信号を受信する。
【００３７】
その間（即ちｘ番目乃至ｙ番目：ｘ、ｙは０≦ｘ≦ｙ、ｙ≠０を満たす任意の整数）に受信したリクエスト信号の通信方式の種類（受信したリクエスト信号の通信方式の回数をも考慮することも可）と、予め不揮発性メモリ１に設定してある優先度テーブルに基いて通信方式を選択する、というものである。
【００３８】
その２として、応答装置αが受信した最初にリクエスト信号を受信して（この最初の受信のときの時刻を時刻ｔ＝０とする。）任意の時間Ｔ１から（尚、Ｔ１＝０、即ち、最初にリクエスト信号を受信してから、とするのが好ましい）、予め設定してある所定の時間だけリクエスト信号を受信する。
【００３９】
その間であるＴ１乃至Ｔ２（Ｔ１≦時刻ｔ≦Ｔ２：但し、Ｔ１、Ｔ２は、０≦Ｔ１≦Ｔ２、Ｔ２≠０を満たす任意の実数）に受信したリクエスト信号の通信方式の種類（その回数をも考慮することも可）と、予め不揮発性メモリ１に設定してある優先度テーブルに基いて通信方式を選択する、というものである。
【００４０】
尚、ある特定の回数間、ある特定の時間に受信したリクエスト信号の通信方式において、例えば予め設定してある通信方式の種類が二種類で、ある特定の回数間又は時間において、受信した回数が奇数となるようにし、受信最多数の通信方式を選択するようにすれば、必ずしも優先度テーブルなるものを用いる必要はない。尚、具体的には、以下の実施例にて言及することにする。
【００４１】
【実施例】
ここでは、上記発明の実施の形態の具体的な実施例につき、特に、最適通信方式選択方法で説明したことにつき、具体的に詳説するが、先ず、実施例１乃至５におけるＩＣカードα１１乃至α１５及び応用形態例としてのＩＣカードα１の内部構成について、上述の装置例を具体化した、ＩＳＯ／ＩＥＣ１４４４３で規定される近接型の非接触ＩＣカード（図２）について、説明しておく。
【００４２】
この近接型の非接触ＩＣカードα１は、通信方式として、ＩＳＯ／ＩＥＣ１４４４３で規定されるタイプＡ及びタイプＢをサポートしている。
尚、タイプＡの通信方式の場合には、質問装置であるＲＷからＩＣカードへの通信は、ＡＳＫ１００％変調で、変形ミラー方式で符号化され、ＩＣカードからＲＷへの通信は、ＯＯＫ変調方式で、マンチェスター方式で符号化される。
【００４３】
一方タイプＢの通信方式の場合には、質問装置であるＲＷからＩＣカードへの通信はＡＳＫ１０％変調で、ＮＲＺ−Ｌ方式で符号化されており、ＩＣカードからＲＷへの通信は、ＢＰＳＫ変調方式で、ＮＲＺ−Ｌ方式で符号化される。
【００４４】
図２は、このタイプＡ及びタイプＢの通信方式で通信を行えるようにした、応答装置であるＩＣカードの内部構成、即ち、受信回路及び送信回路を具体化したものである。
【００４５】
図２のＩＣカードα１の図１との対応を示すと、ＩＣカードα１が応答装置αに、１００％ＡＳＫ復調回路３１１が復調回路３１ａに、１０％ＡＳＫ復調回路３１２が復調回路３１ｂに、変形ミラー復号回路３２１が復号回路３２ａに、ＮＲＺ−Ｌ復号回路３２２が復号回路３２ｂに、マンチェスター符号化回路５１１が符号化回路５１ａに、ＮＲＺ−Ｌ符号化回路５１２が符号化回路５１ｂに、ＯＯＫ変調回路５２１が変調回路５２ａに、ＢＰＳＫ変調回路５２２が変調回路５２ｂに、それぞれ、対応している。
【００４６】
この図２の内部構成を参照して、ＩＣカードα１の動作について、後述の実施例などに共通する点について説明する。
アンテナ２により、ＲＷβの送出する、タイプＡのリクエスト信号ＲＥＱＡ又はタイプＢのリクエスト信号ＲＥＱＢを受信すると、受信回路３で復調及び復号を行う。
【００４７】
ここで、タイプＡのリクエスト信号ＲＥＱＡを受信したとすると、１００％ＡＳＫ変調回路３１１及び変形ミラー復調回路３２１を通ったリクエスト信号は、正しく変調及び復調がなされるので、リクエストコマンドとして出力されて演算回路４に入力される。
【００４８】
これと同時に、このリクエスト信号ＲＥＱＡは、１０％ＡＳＫ変調回路３１２及びＮＲＺ−Ｌ復調回路３２２を通ることになり、この通ったリクエスト信号については、予めこの１０％ＡＳＫ変調回路３１２及びＮＲＺ−Ｌ復調回路３２２に通されることを想定した通信方式と、実際の受信信号とが異なることから、エラーとして出力されるか、又は無意味なビット列として出力されることになる。
【００４９】
演算回路４においては、受信回路３その双方、即ち、変形ミラー復号回路３２１及びＮＲＺ−Ｌ復号回路３２２からの２つの出力値を比較して、意味のある信号を選択することになる。
【００５０】
そして、演算回路４は、予め受信回路３の出力と通信方式との対応は既知であることから、受信信号の通信方式を認識することができる。尚、タイプＡのリクエスト信号ＲＥＱＡ及びタイプＢのリクエスト信号ＲＥＱＢを復調及び復号したリクエストコマンドは、コマンドビット列に通信方式の情報を含んでいることから、そのリクエストコマンドそのものから、受信信号に係る通信方式を知ることもできる（双方利用することで検出チェックも可能。）。
【００５１】
ここで、不揮発性メモリ１には、ＩＣカードα１で演算動作する為のＡＰが記憶されている。このＡＰ動作の際には、通信方式は、タイプＡ、タイプＢの何れかを使用することができるものの、動作に演算回路を多用し、消費電力も大きいことから、ＲＷからの供給電力の安定化と処理速度の向上を鑑み、供給電力に余裕があり継続的なクロック動作が可能なタイプＢによる通信が好ましいことになる。
【００５２】
この点を考慮して、ＩＣカードα１の優先度テーブルにはタイプＢの優先度を高くするように予め設定することにする。また、不揮発性メモリ１には、発明の実施の形態にて説明したように、選択手法がプログラム化されて格納されている（尚、このプログラムはＡＰに含まれてもよい。）。
【００５３】
以上を前提として、代表的な実施例を幾つか説明することにより、前述のＩＣカードα１１の動作について補充説明する。
【００５４】
（実施例１）
図３は、実施例１のＩＣカードα１１の不揮発性メモリ１に記憶されている選択プログラムのフロー図である。
図４は、そのＩＣカードα１１の不揮発性メモリ１に記録されている優先度テーブルＴ１の内容を示したものである（尚、Δｔは必須ではない。以下同様。）。
図５は、そのＩＣカードα１１とＲＷβとの実際のシーケンス例を示したものである。
【００５５】
このプログラムにおいては、パワーオンリセットを行った（ＳＴ１−１）後に、最初のリクエスト受信を受信した際に演算回路４にてタイマーをスタートさせる（ＳＴ１−２でＹｅｓ、ＳＴ１−３でＹｅｓ、ＳＴ１−４）。また、不揮発性メモリ１内に通信方式毎の受信フラグを予め用意しておく（尚、この受信フラグはＳＴ１−４で、タイマースタートであるリセットと共に、リセットされる。）。
【００５６】
タイマースタートから所定の時間Δｔ（この例ではΔｔ＝２００ｍｓｅｃ）の間に受信したリクエスト信号の通信方式に対応したフラグにビット１を立てる（ＳＴ１−２でＹｅｓ、ＳＴ１−３でＹｅｓ、Ｎｏ問わず、ＳＴ１−５の判断に従いＳＴ１−６又はＳＴ１−７）。
【００５７】
そして、Δｔ（２００ｍｓｅｃ）経過後（ＳＴ１−８でＹｅｓで、ループを抜けて）、フラグのビットが１の通信方式、即ち、最初のリクエスト受信からΔｔ（２００ｍｓｅｃ）の間に受信したリクエスト信号の通信方式の中から、予め設定してある優先度テーブルＴ１に従って、通信方式を選択する（ＳＴ１−９）。
【００５８】
そして、選択後には、その選択した通信方式のリクエスト信号を受信した場合にその通信方式で応答コマンドを送出する（ＳＴ１−１０、ＳＴ１−１１、ＳＴ１−１２）。
【００５９】
図５は、ＩＣカードとＲＷの通信シーケンス図である。
ここで、ＲＷβは、タイプＡのリクエスト信号ＲＥＱＡとタイプＢのそれＲＥＱＢとが交互に２０ｍｓｅｃおきに交互に送出されているものとする。
【００６０】
いま、ＩＣカードα１１がＲＷβの近傍に挿入されると、ＲＷβが送信する電磁界を介してＩＣカードα１１に動作電力が伝送されることでもって、ＩＣカードα１１の回路動作の初期化（パワーオンリセット）が行われる。
この初期化後、ＩＣカードα１１はリクエスト信号の受信待ち状態となる。
【００６１】
初めに、タイプＡのリクエスト信号ＲＥＱＡが受信されると、選択プログラムが動作してタイマーをスタートさせると共に、２００ｍｓｅｃの間ＲＷβのリクエスト信号を受信し、その通信方式を検出することになる。図５のシーケンスの場合、２００ｍｓｅｃ後には、タイプＡ及びタイプＢの両方の通信方式が検出されている。よって、優先度テーブルＴ１の上位であるタイプＢの通信方式が、２００ｍｓｅｃの間に受信されていることから、このタイプＢの通信方式を選択することになる。
【００６２】
当該選択の後は、タイプＡのリクエスト信号ＲＥＱＡが受信されても、選択したタイプＢとは異なるので、応答コマンドは送出しない（無視する）ことになる。
それから２０ｍｓｅｃ後には、タイプＢのリクエスト信号ＲＥＱＢを受信するので、その応答信号であるタイプＢの応答信号ＡＴＱＢを、ＲＷβに送出する。
【００６３】
これ以降、ＲＷβは、タイプＢのＩＣカードα１１が検出されたものとして、タイプＢによる通信を用いて、不揮発性メモリ１内のＡＰ動作を行うことになる。
かようにして、ＩＣカードα１１に搭載されたＡＰの内容に応じて、最適な通信方式をＩＣカードα１１側で選択することができる。
【００６４】
（実施例２）
実施例２としての、非接触応答装置であるＩＣカードα１２は、上記実施例１の場合と内部構成は同一であるところ、その内の不揮発性メモリ１に記憶されている選択プログラム及び優先度テーブルが異なる。
【００６５】
図６は、実施例２のＩＣカードα１２の不揮発性メモリ１に記憶されている選択プログラムのフロー図である。
図７は、そのＩＣカードα１２の不揮発性メモリ１に記録されている優先度テーブルＴ２の内容を示したものである。
図８は、そのＩＣカードα１２とＲＷβとの実際のシーケンス例を示したものである。
【００６６】
実施例２においては、優先度テーブルＴ２は、通信方式選択までのリクエスト受信回数（ΔＮ）を１０回とし、その間に受信された通信方式の中から優先度テーブルＴ２の上位のものを選択する例である。
【００６７】
以下、不揮発性メモリ１に記憶されている選択プログラム及びそれに基く図８の実際のシーケンス例を説明する（その他については、実施例１と同様。尚、ＳＴ２−２については、図３のＳＴ１−４に相当するものであるところ、ＳＴ２−２乃至ＳＴ２−３については、ＳＴ１−２乃至ＳＴ１−４のような順序で行ってもよいものの、ＳＴ１−４での処理は、「ｔ＝０」の代わりに「Ｎ＝０」となる。）。
【００６８】
不揮発性メモリ１に記憶されている選択プログラムにおいては、パワーオンリセットを行った（ＳＴ２−１）後に、カウンタ及びフラグリセット（Ｎ＝０、ＦＡ＝ＦＢ＝０）する（ＳＴ２−２）。そして、リクエスト受信をすると（ＳＴ２−３でＹｅｓ）、リクエストコマンドタイプを演算回路４にて判定し、所定の回数ΔＮ（この例ではΔＮ＝１０回）の間に受信したリクエスト信号の通信方式に対応したフラグにビット１を立てる（ＳＴ２−４、ＳＴ２−４の判定に従いＳＴ２−５かＳＴ２−６）。
【００６９】
そして、ΔＮ（１０回）受信すると（ＳＴ２−８でＹｅｓで、ループを抜けて）、受信フラグのビットが１の通信方式、即ち、最初のリクエスト受信からΔＮ（１０回）の間に受信したリクエスト信号の通信方式の中から、予め設定してある優先度テーブルＴ２に従って、通信方式を選択する（ＳＴ２−９）。
そして、選択後には、その選択した通信方式のリクエスト信号を受信した場合にその通信方式により応答コマンドを送出する（ＳＴ２−１０、ＳＴ２−１１、ＳＴ２−１２）。
【００７０】
ここで、図８のシーケンス図をみると（尚、実施例１と同様、ＲＷβは、タイプＡのリクエスト信号ＲＥＱＡとタイプＢのそれＲＥＱＢとが交互に２０ｍｓｅｃおきに交互に送出されているものとする。）、ＩＣカードα１２がＲＷβの近傍に挿入されると、ＲＷβが送信する電磁界を介してＩＣカードα１２に動作電力が伝送されることでもって、ＩＣカードα１２の回路動作の初期化（パワーオンリセットなど）が行われ、ＩＣカードα１２はリクエスト信号の受信待ち状態となる。
【００７１】
初めに、タイプＡのリクエスト信号ＲＥＱＡが受信されると、選択プログラムが動作し、ＲＷβのリクエスト信号を１０回受信し、その通信方式を検出することになる。図８のシーケンスの場合、リクエスト信号１０回受信後には、タイプＡ及びタイプＢの両方の通信方式が検出されている。よって、優先度テーブルＴ２の上位であるタイプＢの通信方式が、１０回受信の間において受信されていることから、このタイプＢの通信方式を選択することになる。
【００７２】
当該選択の後は、タイプＡのリクエスト信号ＲＥＱＡが受信されても、選択したタイプＢとは異なるので、応答コマンドは送出しない（無視する）ことになる。
それから２０ｍｓｅｃ後には、タイプＢのリクエスト信号ＲＥＱＢを受信するので、その応答信号であるタイプＢの応答信号ＡＴＱＢを、ＲＷβに送出する。
【００７３】
これ以降、ＲＷβは、タイプＢのＩＣカードα１２が検出されたものとして、タイプＢによる通信を用いて、不揮発性メモリ１内のＡＰ動作を行うことになる。
かようにして、ＩＣカードα１２に搭載されたＡＰの内容に応じて、最適な通信方式をＩＣカードα１２側で選択することができる。
【００７４】
（実施例３）
実施例３としての、非接触応答装置であるＩＣカードα１３は、上記実施例１、２の場合と内部構成は同一であるところ、その内の不揮発性メモリ１に記憶されている選択プログラム及び優先度テーブルＴ３が異なる。
【００７５】
図９は、実施例３のＩＣカードα１３の不揮発性メモリ１に記憶されている選択プログラムのフロー図である。
図１０は、そのＩＣカードα１３の不揮発性メモリ１に記録されている優先度テーブルＴ３の内容を示したものである。
図１１は、そのＩＣカードα１３とＲＷβとの実際のシーケンス例を示したものである。
【００７６】
実施例３においては、優先度テーブルＴ３は、通信方式選択までのリクエスト受信回数を１０回とし、その間に受信された通信方式の中から最も受信回数の多かった通信方式を選択する例（この最多受信回数の通信方式を選択することが、実施例２と異なる。）であり、最多受信方式が同一の場合に限り優先度テーブルの上位のものを選択する例である（尚、かかることから、通信方式選択までのリクエスト受信回数が奇数となるように設定すれば、優先度テーブルは不要となる。）。
【００７７】
尚、図９に示す選択プログラムの説明については、概ね実施例１、２の説明を斟酌すれば理解できることから、そのフロー図の似た実施例１との相違点のみ説明する。
【００７８】
ＳＴ３−４では、ＳＴ１−４と異なり、カウンタリセットを行う。
ＳＴ３−６では、ＳＴ１−６と異なり、タイプＡの受信回数をカウントする。
ＳＴ３−７では、ＳＴ１−７と異なり、タイプＢの受信回数をカウントする。
ＳＴ３−８では、ＳＴ１−８と異なり、ＮＡ＋ＮＢが、予め設定された回数である１０になったかを判断する。
【００７９】
ＳＴ３−９では、ＳＴ１−９と異なり、タイプＡとタイプＢの受信回数の大小を比較し、その回数が同数である場合に限り優先度テーブルＴ３を用いて優先度の上位を選択する。
【００８０】
ここで、図１１のシーケンス図をみると（尚、実施例１、２と同様、ＲＷβは、タイプＡのリクエスト信号ＲＥＱＡとタイプＢのそれＲＥＱＢとが交互に２０ｍｓｅｃおきに交互に送出されているものとする。）、ＩＣカードα１３がＲＷβの近傍に挿入されると、ＲＷβが送信する電磁界を介してＩＣカードα１３に動作電力が伝送されることでもって、ＩＣカードα１３の回路動作の初期化（パワーオンリセット）が行われ、ＩＣカードα１３はリクエスト信号の受信待ち状態となる。
【００８１】
初めに、タイプＡのリクエスト信号ＲＥＱＡが受信されると、選択プログラムが動作し、ＲＷβのリクエスト信号を１０回受信し、その通信方式を検出してそのタイプを判定してカウントすることになる。図１１のシーケンスの場合、リクエスト信号１０回受信後には、タイプＡ、タイプＢ両方とも５回が検出されている。よって、優先度テーブルＴ３により、タイプＢが上位であることに鑑み、このタイプＢの通信方式を選択することになる。
【００８２】
当該選択の後は、タイプＡのリクエスト信号ＲＥＱＡが受信されても、選択したタイプＢとは異なるので、応答コマンドは送出しない（無視する）ことになる。
それから２０ｍｓｅｃ後には、タイプＢのリクエスト信号ＲＥＱＢを受信するので、その応答信号であるタイプＢの応答信号ＡＴＱＢを、ＲＷβに送出する。
【００８３】
これ以降、ＲＷβは、タイプＢのＩＣカードα１３が検出されたものとして、タイプＢによる通信を用いて、不揮発性メモリ１内のＡＰ動作を行うことになる。
かようにして、ＩＣカードα１３に搭載されたＡＰの内容に応じて、最適な通信方式をＩＣカードα１３側で選択することができる。
【００８４】
（実施例４）
実施例４としての、非接触応答装置であるＩＣカードα１４は、上記実施例１乃至３の場合と内部構成は同一であるところ、その内の不揮発性メモリ１に記憶されている選択プログラム及び優先度テーブルが異なる。
【００８５】
図１２は、実施例４のＩＣカードα１４の不揮発性メモリ１に記憶されている選択プログラムのフロー図である。
図１３は、そのＩＣカードα１４の不揮発性メモリ１に記録されている優先度テーブルＴ４の内容を示したものである。
図１４は、そのＩＣカードα１４とＲＷβとの実際のシーケンス例を示したものである。
【００８６】
実施例４においては、優先度テーブルＴ４は、通信方式選択までのリクエスト受信時間Δｔを２００ｍｓｅｃとし、その間に受信された通信方式の中で最も受信回数の多かった通信方式を選択するものであり、最多受信回数が同一の場合に限り優先度テーブルの上位のものを選択する例である。
【００８７】
尚、図１２に示す選択プログラムの説明は、概ね実施例１乃至３の説明を斟酌すれば、容易に理解できることから、そのフロー図の似た実施例１との相違点のみ説明する。
【００８８】
ＳＴ４−６では、ＳＴ１−６と異なり、タイプＡの受信回数をカウントする。
ＳＴ４−７では、ＳＴ１−７と異なり、タイプＢの受信回数をカウントする。
ＳＴ４−９では、ＳＴ１−９と異なり、タイプＡとタイプＢの受信回数の大小を比較し大きい方を選択、その回数が同数である場合に限り優先度テーブルＴ４を用いて優先度の上位を選択する。
【００８９】
ここで、図１４のシーケンス図をみると（尚、実施例１乃至３と同様、ＲＷβは、タイプＡのリクエスト信号ＲＥＱＡとタイプＢのそれＲＥＱＢとが交互に２０ｍｓｅｃおきに交互に送出されているものとする。）、ＩＣカードα１４がＲＷβの近傍に挿入されると、ＲＷβが送信する電磁界を介してＩＣカードα１４に動作電力が伝送されることでもって、ＩＣカードα１４の回路動作の初期化（パワーオンリセット）が行われ、ＩＣカードα１４はリクエスト信号の受信待ち状態となる。
【００９０】
初めに、タイプＡのリクエスト信号ＲＥＱＡが受信されると、選択プログラムが動作してタイマーをスタートさせると共に、２００ｍｓｅｃの間ＲＷβのリクエスト信号を受信し、その通信方式を検出してそのタイプを判定してカウントすることになる。図１１のシーケンスの場合、２００ｍｓｅｃ後には、タイプＡ、タイプＢ両方とも５回が検出される。よって、優先度テーブルＴ４により、タイプＢが上位であることに鑑み、このタイプＢの通信方式を選択することになる。
【００９１】
当該選択の後は、タイプＡのリクエスト信号ＲＥＱＡが受信されても、選択したタイプＢとは異なるので、応答コマンドは送出しない（無視する）ことになる。
それから２０ｍｓｅｃ後には、タイプＢのリクエスト信号ＲＥＱＢを受信するので、その応答信号であるタイプＢの応答信号ＡＴＱＢを、ＲＷβに送出する。
【００９２】
これ以降、ＲＷβは、タイプＢのＩＣカードα１４が検出されたものとして、タイプＢによる通信を用いて、不揮発性メモリ１内のＡＰ動作を行うことになる。
かようにして、ＩＣカードα１４に搭載されたＡＰの内容に応じて、最適な通信方式をＩＣカードα１４側で選択することができる。
【００９３】
（実施例５）
実施例５としての、非接触応答装置であるＩＣカードα１５は、上記実施例１乃至４の場合と内部構成は同一であるところ、その内の不揮発性メモリ１に記憶されている選択プログラム及び優先度テーブルが異なる。
【００９４】
図１５は、実施例５のＩＣカードα１５の不揮発性メモリ１に記憶されている選択プログラムのフロー図である。
図１６は、そのＩＣカードα１５の不揮発性メモリ１に記録されている優先度テーブルＴ５の内容を示したものである。
図１７は、そのＩＣカードα１５とＲＷβとの実際のシーケンス例を示したものである。
【００９５】
実施例５においては、優先度テーブルＴ５は、その通信方式が選択されるのに要する受信回数を設定してあり、示した例においては、タイプＡでは１０回、タイプＢでは５回としてある。そして、その設定した受信回数を最初にクリアした受信方式を、最適な通信方式として選択する例である。
【００９６】
尚、図１５に示す選択プログラムの説明については、そのフロー図の似た実施例１とのＳＴ１−５（ＳＴ５−５）までの相違点としては、ＳＴ５−４では、ＳＴ１−４と異なり、カウンタリセットを行う点のみであるが、それ以降については、多少異なるので、リクエストコマンドタイプの判定（ＳＴ５−５）より以降を説明する。
【００９７】
リクエストコマンドタイプの判定により、タイプＡであると判定されると、タイプＡの受信回数をカウントし（ＳＴ５−６）、そのカウント数が優先度テーブルＴ５に予め設定された回数となったかを確認し（ＳＴ５−７）、否定の場合にはＳＴ５−２にリターンするも、肯定の場合には、タイプＡを選択することになる（ＳＴ５−８）。これをタイプＢであると判定された場合にも行う（ＳＴ５−９乃至ＳＴ５−１１）。
【００９８】
そして、ＳＴ５−８、ＳＴ５−１１の何れか早い方で通信方式の選択が行われ、それ以降のＳＴ５−１２乃至ＳＴ５−１４については、実施例１（ＳＴ１−１０乃至ＳＴ１−１２）乃至４（ＳＴ４−１０乃至ＳＴ４−１２）と同一である。
【００９９】
ここで、図１７のシーケンス図をみると（尚、実施例１乃至４と同様、ＲＷβは、タイプＡのリクエスト信号ＲＥＱＡとタイプＢのそれＲＥＱＢとが交互に２０ｍｓｅｃおきに交互に送出されているものとする。）、ＩＣカードα１５がＲＷβの近傍に挿入されると、ＲＷβが送信する電磁界を介してＩＣカードα１５に動作電力が伝送されることでもって、ＩＣカードα１５の回路動作の初期化（パワーオンリセット）が行われ、ＩＣカードα１５はリクエスト信号の受信待ち状態となる。
【０１００】
初めに、タイプＡのリクエスト信号ＲＥＱＡが受信されると、選択プログラムが動作し、ＲＷβのリクエスト信号を、タイプＡのリクエスト信号を１０回受信するか又はタイプＢのリクエスト信号を５回受信するかの何れかの条件を満たすまで、受信して、その通信方式を検出してそのタイプを判定してカウントすることになる。図１１のシーケンスの場合、当該条件について後段（タイプＢのリクエスト信号を５回受信すること）を満たすことになるので、このタイプＢの通信方式を選択することになる。
【０１０１】
当該選択の後は、タイプＡのリクエスト信号ＲＥＱＡが受信されても、選択したタイプＢとは異なるので、応答コマンドは送出しない（無視する）ことになる。
それから２０ｍｓｅｃ後には、タイプＢのリクエスト信号ＲＥＱＢを受信するので、その応答信号であるタイプＢの応答信号ＡＴＱＢを、ＲＷβに送出する。
【０１０２】
これ以降、ＲＷβは、タイプＢのＩＣカードα１５が検出されたものとして、タイプＢによる通信を用いて、不揮発性メモリ１内のＡＰ動作を行うことになる。
かようにして、ＩＣカードα１５に搭載されたＡＰの内容に応じて、最適な通信方式をＩＣカードα１５側で選択することができる。
【０１０３】
（その他の実施例）
以上の実施例１乃至５の他に、ある時間経過するか、ある回数受信するまでカウントし、その時の受信回数から選択するなどの、実施例１乃至５以外の選択手法が考えられる。
【０１０４】
（応用実施例）
以上のように、予めＩＣカードに設定された選択手順により、パワーオンリセットから所定の状態になるまでの受信したリクエストに係る通信方式に基き、最適な通信方式を選択する例を挙げたが、ここでは、ＩＣカードα１が、タイプＢの通信方式でしか通信できないＩＣカードγと共に、ＲＷβの送出する磁界空間内に挿入される場合を想定して説明する。
【０１０５】
図１８は、応用実施例として取り上げる場合を説明する説明図である。図１９は、その取り上げた場合である、（実施例１で説明した）ＩＣカードα１１とタイプＢの通信方式でしか通信できない別のＩＣカードγにおける、ＲＷβとのシーケンス図である。
【０１０６】
図１８に示す様に、ＲＷβにより送出される磁界空間内に、ＩＣカードα１１と通常のタイプＢのＩＣカードγとを挿入した場合を考える。ここにおいて、ＩＣカードα１１に搭載されているＡＰは、いわゆる交通系のＡＰのように高速な応答速度を要求されないので、Δｔ＝２００ｍｓｅｃとして、判断の為に十分な受信時間が設定してある。そして、ＲＷβはタイプＡとタイプＢのリクエスト信号を交互に（前述と異なり）１０ｍｓｅｃで交互に送出している。
【０１０７】
かかる場合において、先ず、ＲＷβの送出するタイプＡのリクエスト信号ＲＥＱＡにはＩＣカードα１１及びＩＣカードγは何れも応答しない。次に、タイプＢのリクエスト信号ＲＥＱＢに対しては、タイプＢのＩＣカードγが応答信号ＡＴＱＢを返答する一方で、ＩＣカードγは初回のリクエスト信号からΔｔ経過していないので、通信方式の選択は行われておらず、応答しない。つまり、タイプＢのＩＣカードγの応答信号ＡＴＱＢとＩＣカードα１１の応答信号ＡＴＱＢとは同時にＲＷβに送信されない。
【０１０８】
ここで、一般に交通系のＲＷなどは、ＩＣカードが動作可能となってからＩＣカードからの返答及びＩＣカードにおける演算処理を高速に行わなければならず、この為、アンチコリジョン処理機能を有さないものが多いことに鑑みれば、かかるアンチコリジョン処理機能のないＲＷに対して、ＩＣカードα１１が、タイプＢの通信方式でしか通信できない通常のＩＣカードγと共に、ＲＷの送出する磁界空間内に挿入される場合においても、タイプＢのＩＣカードγの動作を何ら妨げられるものではなく、タイプＢのＩＣカードγが通信を開始することになる。
【０１０９】
尚、ＲＷにアンチコリジョン処理機能があっても、同処理に時間を費やされることなく、迅速にタイプＢのＩＣカードγが通信を開始する。
かかる応用実施例として、前述のＩＣカードα１１で説明をしたものの、前述の他の実施例のＩＣカードα１２等においても同様である。
【０１１０】
以上、本発明の実施の形態及び実施例を説明したものの、上述の事項に限定されることなく、本発明の目的を達し、後述する効果を奏する範囲において適宜変更実施可能である。
【０１１１】
【発明の効果】
本発明によれば、ＩＣカードなどのその他の非接触応答装置に搭載されたＡＰにとって最適な通信方式を、非接触応答装置が使用可能な通信方式の中から、非接触応答装置がイニシアチブをとって選択することができ、これにより、各種多彩なＡＰを搭載した非接触応答装置のニーズに応えることができるといった優れた効果を有する。
【図面の簡単な説明】
【図１】本発明の一実施形態である、最適通信方式選択非接触応答装置の機能構成図である。
【図２】最適通信方式選択非接触応答装置に相当する、内部構成を具体的に示したＩＣカードの内部構成図である。
【図３】実施例１のＩＣカードの不揮発性メモリに記憶されている選択プログラムのフロー図である。
【図４】実施例１のＩＣカードの不揮発性メモリに記録されている優先度テーブルの内容を示したものである。
【図５】実施例１におけるＩＣカードとＲＷとの実際のシーケンス例を示したものである。
【図６】実施例２のＩＣカードの不揮発性メモリに記憶されている選択プログラムのフロー図である。
【図７】実施例２のＩＣカードの不揮発性メモリに記録されている優先度テーブルの内容を示したものである。
【図８】実施例２におけるＩＣカードとＲＷとの実際のシーケンス例を示したものである。
【図９】実施例３のＩＣカードの不揮発性メモリに記憶されている選択プログラムのフロー図である。
【図１０】実施例３のＩＣカードの不揮発性メモリに記録されている優先度テーブルの内容を示したものである。
【図１１】実施例３におけるＩＣカードとＲＷとの実際のシーケンス例を示したものである。
【図１２】実施例４のＩＣカードの不揮発性メモリに記憶されている選択プログラムのフロー図である。
【図１３】実施例４のＩＣカードの不揮発性メモリに記録されている優先度テーブルの内容を示したものである。
【図１４】実施例４におけるＩＣカードとＲＷとの実際のシーケンス例を示したものである。
【図１５】実施例５のＩＣカードの不揮発性メモリに記憶されている選択プログラムのフロー図である。
【図１６】実施例５のＩＣカードの不揮発性メモリに記録されている優先度テーブルの内容を示したものである。
【図１７】実施例５におけるＩＣカードとＲＷとの実際のシーケンス例を示したものである。
【図１８】応用実施例として取り上げるケースを説明する説明図である。
【図１９】図１８のケースにおける、実施例１で取り上げたＩＣカードとタイプＢの通信方式でしか通信できない別のＩＣカードにおける、ＲＷとのシーケンス図である。
【符号の説明】
α…最適通信方式選択非接触応答装置（応答装置）
α１、α１１、α１２、α１３、α１４、α１５、γ…ＩＣカード
β…ＲＷ
１…不揮発性メモリ
２…アンテナ
３…受信回路
３１、３１ａ、３１ｂ、３１ｎ…復調回路
３１１…１００％ＡＳＫ復調回路
３１２…１０％ＡＳＫ復調回路
３２１…変形ミラー復号回路
３２２…ＮＲＺ−Ｌ復号回路
３２、３２ａ、３２ｂ、３２ｎ…復号回路
４…演算回路
５…送信回路
５１、５１ａ、５１ｂ、５１ｎ…符号化回路
５２、５２ａ、５２ｂ、５２ｎ…変調回路
５１１…マンチェスター符号化回路
５１２…ＮＲＺ−Ｌ符号化回路
５２１…ＯＯＫ変調回路
５２２…ＢＰＳＫ変調回路
Ｔ１、Ｔ２、Ｔ３、Ｔ４、Ｔ５…優先度テーブル
【図１】
0003592304.tif 000002
【図２】
0003592304.tif 000003
【図３】
0003592304.tif 000004
【図４】
0003592304.tif 000005
【図５】
0003592304.tif 000006
【図６】
0003592304.tif 000007
【図７】
0003592304.tif 000008
【図８】
0003592304.tif 000009
【図９】
0003592304.tif 000010
【図１０】
0003592304.tif 000011
【図１１】
0003592304.tif 000012
【図１２】
0003592304.tif 000013
【図１３】
0003592304.tif 000014
【図１４】
0003592304.tif 000015
【図１５】
0003592304.tif 000016
【図１６】
0003592304.tif 000017
【図１７】
0003592304.tif 000018
【図１８】
0003592304.tif 000019
【図１９】
0003592304.tif 000020